(57)【要約】  【構成】  複数の場面にそれぞれ対応する複数の音声ガイダンスがテーブル(30T)に登録されており、ＣＰＵ(26)は複数の場面の各々で対応する音声ガイダンスを出力する。複数の音声ガイダンスのいずれかが出力されている状態で第１禁止操作が行われると、この音声ガイダンスの出力を禁止し、禁止された音声ガイダンスに対応する場面では映像メッセージを表示する。かかる表示処理に関連して第１解除操作が行われると、禁止された音声ガイダンスの出力を許容する 。  【効果】  停止された音声ガイダンスの出力を再開させる際の操作性が向上する。【選択図】  図１
2007240869.tif 000002
【特許請求の範囲】
【請求項１】
複数の場面にそれぞれ対応する複数の音声ガイダンスを記憶したメモリ、
前記複数の場面の各々で当該場面に対応する音声ガイダンスを出力する音声ガイダンス出力手段、
前記音声ガイダンス出力手段によって前記複数の音声ガイダンスのいずれかが出力されている状態で第１禁止操作が行われたとき当該音声ガイダンスの出力を禁止する第１禁止手段、
前記複数の場面のうち前記第１禁止手段によって禁止された音声ガイダンスに対応する場面でメッセージを表示するメッセージ表示手段、および
前記メッセージ表示手段の表示処理に関連して第１解除操作が行われたとき前記第１禁止手段によって禁止された音声ガイダンスの出力を許容する第１許容手段を備える、音声ガイダンス出力装置。
【請求項２】
前記メモリは前記複数の音声ガイダンスをグループ別に記憶し、
前記第１禁止手段によって少なくとも１つの音声ガイダンスの出力が禁止されている状態で第２禁止操作が行われたとき当該音声ガイダンスと同じグループに属する他の音声ガイダンスの出力を一括的に禁止する第２禁止手段をさらに備える、請求項１記載の音声ガイダンス出力装置。
【請求項３】
第２解除操作が行われたとき前記第２禁止手段によって禁止された音声ガイダンスの出力を一括的に許容する第２許容手段をさらに備える、請求項２記載の音声ガイダンス出力装置。
【請求項４】
前記第１禁止手段によって禁止された音声ガイダンスを記述した禁止リストを表示する禁止リスト表示手段、
前記禁止リスト表示手段の表示処理に関連して所望の音声ガイダンスを選択する選択操作を受け付ける受付手段、
前記選択操作によって選択された音声ガイダンスに向けて第３解除操作が行われたとき当該音声ガイダンスの出力を許容する第３許容手段をさらに備える、請求項３記載の音声ガイダンス出力装置。
【請求項５】
前記所望の音声ガイダンスを前記受付手段の受け付け処理に応答して出力する応答出力手段をさらに備える、請求項４記載の音声ガイダンス出力装置。
【請求項６】
前記第３許容手段の許容処理に応答して当該音声ガイダンスと同じグループに前記第１禁止手段によって禁止された他の音声ガイダンスが残存するか否かを判別する第１判別手段、および
前記第１判別手段の判別結果が否定的であるとき当該音声ガイダンスと同じグループに属しかつ前記第２禁止手段によって禁止された音声ガイダンスの出力を一括的に許容する第４許容手段をさらに備える、請求項４または５記載の音声ガイダンス出力装置。
【請求項７】
前記第１許容手段の許容処理に応答して当該音声ガイダンスと同じグループに前記第１禁止手段によって禁止された他の音声ガイダンスが残存するか否かを判別する第２判別手段、および
前記第２判別手段の判別結果が否定的であるとき当該音声ガイダンスと同じグループに属しかつ前記第２禁止手段によって禁止された音声ガイダンスの出力を一括的に許容する第５許容手段をさらに備える、請求項１ないし６のいずれかに記載の音声ガイダンス出力装置。
【請求項８】
複数の場面にそれぞれ対応する複数の音声ガイダンスを記憶したメモリを有するコンピュータ装置のプロセサに、
前記複数の場面の各々で当該場面に対応する音声ガイダンスを出力する音声ガイダンス出力ステップ、
前記音声ガイダンス出力ステップによって前記複数の音声ガイダンスのいずれかが出力されている状態で第１禁止操作が行われたとき当該音声ガイダンスの出力を禁止する第１禁止ステップ、
前記複数の場面のうち前記第１禁止ステップによって禁止された音声ガイダンスに対応する場面でメッセージを表示するメッセージ表示ステップ、および
前記メッセージ表示ステップの表示処理に関連して第１解除操作が行われたとき前記第１禁止ステップによって禁止された音声ガイダンスの出力を許容する第１許容ステップを実行させるための、音声ガイダンス出力制御プログラム。
【請求項９】
複数の場面にそれぞれ対応する複数の音声ガイダンスを記憶したメモリを有するコンピュータ装置によって実行される音声ガイダンス出力制御方法であって、
前記複数の場面の各々で当該場面に対応する音声ガイダンスを出力する音声ガイダンス出力ステップ、
前記音声ガイダンス出力ステップによって前記複数の音声ガイダンスのいずれかが出力されている状態で第１禁止操作が行われたとき当該音声ガイダンスの出力を禁止する第１禁止ステップ、
前記複数の場面のうち前記第１禁止ステップによって禁止された音声ガイダンスに対応する場面でメッセージを表示するメッセージ表示ステップ、および
前記メッセージ表示ステップの表示処理に関連して第１解除操作が行われたとき前記第１禁止ステップによって禁止された音声ガイダンスの出力を許容する第１許容ステップを備える、音声ガイダンス出力制御方法。
【発明の詳細な説明】
【技術分野】
【０００１】
この発明は、音声ガイダンス出力装置に関し、特にたとえば、複数の場面の各々で対応する音声ガイダンスを出力する、音声ガイダンス出力装置に関する。
【背景技術】
【０００２】
従来のこの種の装置としては、特許文献１に開示された車載ナビゲーション装置が知られている。この従来技術は、進むべき経路を地図上に示した案内画面を表示すると共に、自車両が交差点など所定の場所に接近したとき、進行方向などを示す音声ガイダンスを出力する。案内画面の地図上には、音声ガイダンスを出力すべき場所が記号で示されており、運転者は、所望の位置に示された記号を消去する操作を事前に行うことで、対応する場所での音声ガイダンスの出力を停止させることができる。これにより、運転者が案内を必要としない場所でも音声ガイダンスが出力される煩わしさが解消される。
【特許文献１】特開平８−３２７３８８号公報〔Ｇ０１Ｃ ２１／００，Ｇ０８Ｇ １／０９６９，Ｇ０９Ｂ ２９／００，Ｇ１０Ｋ １５／０４，Ｇ１０Ｌ ５／０２〕
【発明の開示】
【発明が解決しようとする課題】
【０００３】
しかし、事前の操作によってある場所（場面）に対応する音声ガイダンスの出力を停止した後に、その場所（場面）で音声ガイダンスが必要となる状況も考えられる。従来技術では、この点が何ら考慮されておらず、停止された音声ガイダンスの出力を再開させる操作を行うことは容易でない。なぜなら、自車両がその場所に接近しても音声ガイダンスは何ら出力されず、地図上の記号も消去されたために、運転者は、対応する音声ガイダンスが存在するかどうかさえわからないからである。
【０００４】
それゆえに、この発明の主たる目的は、操作性を向上させることができる、音声ガイダンス出力装置を提供することである。
【課題を解決するための手段】
【０００５】
請求項１の発明に従う音声ガイダンス出力装置は、複数の場面にそれぞれ対応する複数の音声ガイダンスを記憶したメモリ(30)、複数の場面の各々で当該場面に対応する音声ガイダンスを出力する音声ガイダンス出力手段(S9)、音声ガイダンス出力手段によって複数の音声ガイダンスのいずれかが出力されている状態で第１禁止操作が行われたとき当該音声ガイダンスの出力を禁止する第１禁止手段(S15,S5)、複数の場面のうち第１禁止手段によって禁止された音声ガイダンスに対応する場面で映像メッセージを表示する映像メッセージ表示手段(S19)、およびメッセージ表示手段の表示処理に関連して第１解除操作が行われたとき第１禁止手段によって禁止された音声ガイダンスの出力を許容する第１許容手段(S27,S5)を備える。
【０００６】
複数の場面にそれぞれ対応する複数の音声ガイダンスがメモリに記憶されており、音声ガイダンス出力手段は、複数の場面の各々で当該場面に対応する音声ガイダンスを出力する。音声ガイダンス出力手段によって複数の音声ガイダンスのいずれかが出力されている状態で第１禁止操作が行われると、当該音声ガイダンスの出力は第１禁止手段によって禁止される。
【０００７】
メッセージ表示手段は、複数の場面のうち第１禁止手段によって禁止された音声ガイダンスに対応する場面で映像メッセージを表示する。この表示処理に関連して第１解除操作が行われると、第１禁止手段によって禁止された音声ガイダンスの出力は第１許容手段によって許容される。
【０００８】
したがって、映像メッセージを参照して第１解除操作を行うことで、停止された音声ガイダンスの出力を再開させることができ、音声ガイダンスの出力を停止させる際の操作性が向上する。
【０００９】
請求項２の発明に従う音声ガイダンス出力装置は、請求項１に従属し、メモリは複数の音声ガイダンスをグループ別に記憶し、第１禁止手段によって少なくとも１つの音声ガイダンスの出力が禁止されている状態で第２禁止操作が行われたとき当該音声ガイダンスと同じグループに属する他の音声ガイダンスの出力を一括的に禁止する第２禁止手段(S77,S7)をさらに備える。
【００１０】
複数の音声ガイダンスは、メモリによってグループ別に記憶される。第１禁止手段によって少なくとも１つの音声ガイダンスの出力が禁止されている状態で第２禁止操作が行われると、当該音声ガイダンスと同じグループに属する他の音声ガイダンスの出力が第２禁止手段によって一括的に禁止される。したがって、第１禁止操作によってある音声ガイダンスが禁止された後に第２禁止操作を行うことで、第１禁止操作によって禁止された音声ガイダンスと同系統の音声ガイダンス（以下“同系統音声ガイダンス”）も一括的に禁止される。これにより、音声ガイダンスの出力を停止させる際の操作性が高まる。
【００１１】
請求項３の発明に従う音声ガイダンス出力装置は、請求項２に従属し、第２解除操作が行われたとき第２禁止手段によって禁止された音声ガイダンスの出力を一括的に許容する第２許容手段(S79,S7)をさらに備える。
【００１２】
第２解除操作が行われると、第２禁止手段によって禁止された音声ガイダンスの出力が第２許容手段によって一括的に許容される。したがって、第２解除操作を行うことで、同系統音声ガイダンスの禁止状態が一括的に解除される一方、第１禁止操作による音声ガイダンスの禁止状態は解除されない。これにより、第１禁止操作によって個別的に禁止された音声ガイダンスの禁止状態が第２解除操作によって一括的に解除される事態を回避でき、停止された音声ガイダンスの出力を再開させる際の操作性が一層向上する。
【００１３】
請求項４の発明に従う音声ガイダンス出力装置は、請求項３に従属し、第１禁止手段によって禁止された音声ガイダンスを記述した禁止リストを表示する禁止リスト表示手段(S59)、禁止リスト表示手段の表示処理に関連して所望の音声ガイダンスを選択する選択操作を受け付ける受付手段(S61)、選択操作によって選択された音声ガイダンスに向けて第３解除操作が行われたとき当該音声ガイダンスの出力を許容する第３許容手段(S71,S5)をさらに備える。
【００１４】
第１禁止手段によって禁止された音声ガイダンスを記述した禁止リストは、禁止リスト表示手段によって表示される。この表示処理に関連して、所望の音声ガイダンスを選択する選択操作が受付手段によって受け付けられる。選択された音声ガイダンスに向けて第３解除操作が行われると、当該音声ガイダンスの出力は第３許容手段によって許容される。
【００１５】
したがって、ユーザは、禁止リストに記述された音声ガイダンスつまり第１禁止操作によって禁止された音声ガイダンスの中から所望の音声ガイダンスを選択し、そして第３解除操作を行うことで、所望のガイダンスの禁止状態を解除することができ、停止された音声ガイダンスの出力を再開させる際の操作性がより一層向上する。  
【００１６】
請求項５の発明に従う音声ガイダンス出力装置は、請求項４に従属し、所望の音声ガイダンスを受付手段の受け付け処理に応答して出力する応答出力手段(S63)をさらに備える。
【００１７】
所望の音声ガイダンスは、受付手段の受け付け処理に応答して出力される。したがって、ユーザは、第３解除操作を行う前に所望の音声ガイダンスを聴くことができ、操作性が向上する。
【００１８】
請求項６の発明に従う音声ガイダンス出力装置は、請求項４または５に従属し、第３許容手段の許容処理に応答して当該音声ガイダンスと同じグループに第１禁止手段によって禁止された他の音声ガイダンスが残存するか否かを判別する第１判別手段(S73)、および第１判別手段の判別結果が否定的であるとき当該音声ガイダンスと同じグループに属しかつ第２禁止手段によって禁止された音声ガイダンスの出力を一括的に許容する第４許容手段(S75,S7)をさらに備える。
【００１９】
第３許容手段の許容処理に応答して、当該音声ガイダンスと同じグループに第１禁止手段によって禁止された他の音声ガイダンスが残存するか否かが、第１判別手段によって判別される。かかる判別結果が否定的であるとき、当該音声ガイダンスと同じグループに属しかつ第２禁止手段によって禁止された音声ガイダンスの出力は、第４許容手段によって一括的に許容される。
【００２０】
したがって、第１禁止手段によって禁止された音声ガイダンスが第３解除手段によって解除されたとき、同じグループに第１禁止手段によって禁止された他の音声ガイダンスが存在しなければ、同じグループの音声ガイダンスつまり同系統音声ガイダンスの禁止状態も一括的に解除される。これにより、停止された音声ガイダンスの出力を再開させる際の操作性がさらに向上する。
【００２１】
請求項７の発明に従う音声ガイダンス出力装置は、請求項１ないし６のいずれかに従属し、第１許容手段の許容処理に応答して当該音声ガイダンスと同じグループに第１禁止手段によって禁止された他の音声ガイダンスが残存するか否かを判別する第２判別手段(S29)、および第２判別手段の判別結果が否定的であるとき当該音声ガイダンスと同じグループに属しかつ第２禁止手段によって禁止された音声ガイダンスの出力を一括的に許容する第５許容手段(S31,S7)をさらに備える。
【００２２】
第１許容手段の許容処理に応答して、当該音声ガイダンスと同じグループに第１禁止手段によって禁止された他の音声ガイダンスが残存するか否かが、第２判別手段によって判別される。かかる判別結果が否定的であるとき、当該音声ガイダンスと同じグループに属しかつ第２禁止手段によって禁止された音声ガイダンスの出力は、第５許容手段によって一括的に許容される。
【００２３】
したがって、第１禁止手段によって禁止された音声ガイダンスが第１解除手段によって解除されたとき、同じグループに第１禁止手段によって禁止された他の音声ガイダンスが存在しなければ、同じグループの音声ガイダンスつまり同系統音声ガイダンスの禁止状態も一括的に解除される。これにより、停止された音声ガイダンスの出力を再開させる際の操作性がさらに向上する。
【００２４】
請求項８の発明に従う音声ガイダンス出力制御プログラムは、複数の場面にそれぞれ対応する複数の音声ガイダンスを記憶したメモリ(30)を有するコンピュータ装置のプロセサに、複数の場面の各々で当該場面に対応する音声ガイダンスを出力する音声ガイダンス出力ステップ(S9)、音声ガイダンス出力ステップによって複数の音声ガイダンスのいずれかが出力されている状態で第１禁止操作が行われたとき当該音声ガイダンスの出力を禁止する第１禁止ステップ(S15,S5)、複数の場面のうち第１禁止ステップによって禁止された音声ガイダンスに対応する場面でメッセージを表示するメッセージ表示ステップ(S19)、およびメッセージ表示ステップの表示処理に関連して第１解除操作が行われたとき第１禁止ステップによって禁止された音声ガイダンスの出力を許容する第１許容ステップ(S27,S5)を実行させる。
【００２５】
請求項９の発明に従う音声ガイダンス出力制御方法は、複数の場面にそれぞれ対応する複数の音声ガイダンスを記憶したメモリ(30)を有するコンピュータ装置によって実行される方法であって、複数の場面の各々で当該場面に対応する音声ガイダンスを出力する音声ガイダンス出力ステップ(S9)、音声ガイダンス出力ステップによって複数の音声ガイダンスのいずれかが出力されている状態で第１禁止操作が行われたとき当該音声ガイダンスの出力を禁止する第１禁止ステップ(S15,S5)、複数の場面のうち第１禁止ステップによって禁止された音声ガイダンスに対応する場面でメッセージを表示するメッセージ表示ステップ(S19)、およびメッセージ表示ステップの表示処理に関連して第１解除操作が行われたとき第１禁止ステップによって禁止された音声ガイダンスの出力を許容する第１許容ステップ(S27,S5)を備える。
【発明の効果】
【００２６】
この発明によれば、操作性、特に停止された音声ガイダンスの出力を再開させる際の操作性を向上させることができる。
【００２７】
この発明の上述の目的，その他の目的，特徴および利点は、図面を参照して行う以下の実施例の詳細な説明から一層明らかとなろう。
【発明を実施するための最良の形態】
【００２８】
図１を参照して、この実施例のディジタル放送受信機１０は、ディジタルチューナ１２を含む。ディジタルチューナ１２へは、図示しないアンテナからディジタルテレビ放送用の高周波信号が入力される。ディジタルチューナ１２は、入力された高周波信号をベースバンド信号に変換し、変換されたベースバンド信号をＴＳ（Transport Stream）に復調する。そして、復調されたＴＳから特定チャネルに対応するＰＥＳ（Packetized Elementary Stream）を抽出する。
【００２９】
抽出されたＰＥＳは、ＭＰＥＧデコーダ１４に与えられる。ＭＰＥＧデコーダ１４は与えられたＰＥＳをデコードし、これにより得られた番組映像データが加算器１６を介してＮＴＳＣ（National Television Standards Committee）エンコーダ２０に与えられる。ＮＴＳＣエンコーダ２０は、与えられた番組映像データをＮＴＳＣ方式に従う映像信号に変換し、変換された映像信号を図示しないテレビモニタに向けて出力する。この結果、受信中の番組の映像がテレビモニタに表示される。
【００３０】
また、ＰＥＳをデコードして得られる番組音声データは、加算器３６を介してＤ／Ａ変換回路３８に与えられる。Ｄ／Ａ変換回路３８は、番組音声データをアナログの音声信号に変換し、変換された音声信号を図示しないスピーカに向けて出力する。この結果、受信中の番組の音声がスピーカから出力される。
【００３１】
一方、ＰＥＳをデコードして得られるＥＰＧ（Electronic Program Guide）情報は、ＲＡＭ２８に一時記憶され、番組表を表示させる操作つまり番組表表示操作がリモコン３２によって行われたときキャラクタジェネレータ１８に与えられる。キャラクタジェネレータ１８は、与えられたＥＰＧ情報をキャラクタデータに変換する。変換されたキャラクタデータは、加算器１６を通してＮＴＳＣエンコーダ２０に与えられる。この結果、番組表が表示される。
【００３２】
なお、表示された番組表を利用するなどして、別のチャネルを選択する操作つまり選局操作がリモコン３２によって行われると、ＣＰＵ２６は、この選局操作に従う選局命令をディジタルチューナ１２に向けて発行する。この結果、新たに選局されたチャネルの番組映像が表示されかつ番組音声が出力される。
【００３３】
ところで、ディジタルテレビ放送では、上記のようなテレビ放送用のチャネルに加え、ラジオ放送用のチャネルつまり音声専用のチャネルが用意されており、このようなチャネルが選択された場合には、番組音声だけが出力される。この場合の表示画面は、図３に示すような静止画像（風景など）となる。図３を参照して、ラジオ放送画面には“このチャネルはラジオ放送です”を示す映像メッセージ５０が挿入され、同時に“このチャネルはラジオ放送です。テレビ放送に戻るには…”を示す音声ガイダンス５２が出力される。
【００３４】
また、データ放送用のチャネルも用意されており、このようなチャネルが選択された場合、ディジタルチューナ１２は、データ放送用の高周波信号をベースバンド信号に変換し、変換されたベースバンド信号をＢＭＬ（Broadcast Markup Language）データに復調する。復調されたＢＭＬデータは、ＲＡＭ２８に一時記憶され、キャラクタジェネレータ１８によってキャラクタデータに変換される。変換されたキャラクタデータは、加算器１６を通してＮＴＳＣエンコーダ２０に与えられる。この結果、図４に示すようなデータ放送画面が表示される。
【００３５】
図４を参照して、データ放送画面には、“ニュース”，“天気予報”などといった複数の項目が含まれている。このうち所望の項目を選択する項目選択操作がリモコン３２によって行われると、この画面は、選択された項目に対応する詳細画面（図示せず）に更新される。なお、項目選択操作は、カーソルキー３２ａおよび決定キー３２ｂを利用して行われる（以下同様）。また、このデータ放送画面には“このチャネルはデータ放送です”を示す映像メッセージ５４が挿入され、同時に“このチャネルはデータ放送です。カーソル／決定キーで表示したい項目を選択してください”を示す音声ガイダンス５６が出力される。
【００３６】
なお、空きチャネルが選択された場合には、表示画面は黒画面となる（図５（Ａ）参照）。表示画面には、“現在放送されていません”を示す映像メッセージ５８が挿入され、同時に“現在放送されていません。別のチャネルを選択するか、受信設定を行ってください”を示す音声ガイダンス６０が出力される。
【００３７】
なお、上記の映像メッセージ５０，５４および５８の描画に必要な情報はハードディスク２２ｄに格納されており、また、各チャネルの高周波信号にはそのチャネルで提供されるサービスの種別（ラジオ放送サービス，データ放送サービスなど）を示す情報（サービス情報）が含まれている。そこで、新たなチャネルが選択されたとき、ディジタルチューナ１２はサービス情報を参照してサービス種別を特定し、キャラクタジェネレータ１８は、特定されたサービス種別に対応する情報をＨＤＤ２２を通してハードディスク２２ｄから取得し、そして取得された情報をキャラクタデータに変換する。変換されたキャラクタデータは加算器１６を通してＮＴＳＣエンコーダ２０に与えられ、この結果、図３，図４および図５（Ａ）の画面内に映像メッセージ５０，５４および５８がそれぞれ挿入される。これにより、故障と誤認される可能性が低減される。
【００３８】
一方、音声ガイダンス５２，５６，６０の出力は、フラッシュメモリ３０内のテーブル３０Ｔに基づいて行われる。テーブル３０Ｔの詳細を図２に示す。図２を参照して、テーブル３０Ｔには、音声ガイダンスを出力すべき複数の場面と、これら複数の場面にそれぞれ対応する複数の音声ガイダンスとが登録されている。複数の場面（およびこれらにそれぞれ対応する複数の音声ガイダンス）は、複数のグループここでは“受信系”および“項目説明系”の２グループに分類される。
【００３９】
音声ガイダンスを出力すべき場面としては、例えば、チャネル切換えによってテレビ放送からラジオ放送に変化した場面（図３参照），同じくテレビ放送からデータ放送に変化した場面（図４参照），休止チャネルが選択された場面（図５（Ａ）参照）などが登録される。また、これら３つの場面にそれぞれ対応する音声ガイダンスとして、“このチャネルはラジオ放送です。テレビ放送に戻るには…”，“このチャネルはデータ放送です。カーソル／決定キーで表示したい項目を選択してください”，“現在放送されていません。別のチャネルを選択するか、受信設定を行ってください”が登録される。これら３つの音声ガイダンスは、いずれも“受信系”に分類される。
【００４０】
この他にも、例えば、メインメニュー画面においていずれかの項目にカーソルが当てられた場面（図７参照：後述），音声ガイダンス設定画面においていずれかの項目にカーソルが当てられた場面（図８参照：後述）などが登録される。また、これらの場面にそれぞれ対応する音声ガイダンスとして、“音声ガイダンスをオン／オフしたり、オフリスト画面を表示します”，“オフされた音声ガイダンスのリストを表示します”などが登録される。これらの音声ガイダンスは、いずれも“項目説明系”に分類される。
【００４１】
そして、複数の場面（およびこれらにそれぞれ対応する複数の音声ガイダンス）の各々にはフラグＦ（“０”または“１”）が付与され、複数のグループの各々にはフラグＧ（“０”または“１”）が付与される（初期状態ではいずれも“０”）。各音声ガイダンスは、Ｆ＝０かつＧ＝０であれば出力が許容され、Ｆ＝１またはＧ＝１であれば出力が禁止される。図３，図４および図５（Ａ）に示した場面では、いずれもＦ＝０かつＧ＝０であるため音声ガイダンスが出力されている。
【００４２】
ディジタル放送受信機１０では、ＣＰＵ２６が音声ガイドキー３２ｄの押下操作等に応じてフラグＦ，Ｇの切換えを行い、この結果、ユーザが必要とする音声ガイダンスのみを出力することができる。以下には、かかる動作について説明する。
【００４３】
図５（Ａ）に示す場面で、つまり音声ガイダンス６０が出力されている状態で音声ガイドキー３２ｄが押下されると、ＣＰＵ２６は、テーブル３０Ｔ内の対応するフラグＦを“０”から“１”に切換える（図６参照）。これによって、音声ガイダンス６０の出力は停止され、代わりに音声出力禁止マーク６２が挿入される（図５（Ｂ）参照）。これ以降、同様の場面での音声ガイダンス６０の出力は禁止される。
【００４４】
また、こうして画面に音声出力禁止マーク６２が挿入されている状態で音声ガイドキー３２ｄが押下されると、ＣＰＵ２６は、テーブル３０Ｔ内の対応するフラグＦを“１”から“０”に切換え、この結果、音声ガイダンス６０の出力が再開される。これ以降、同様の場面での音声ガイダンス６０の出力は許容される。
【００４５】
このように、テーブル３０Ｔに登録された複数の場面の各々で、現に出力されている音声ガイダンスが不必要であれば、音声ガイドキー３２ｄを押下することでこれを停止させることができる。また、音声ガイダンスの停止された場面つまり音声出力禁止マーク６２の表示された場面で音声ガイダンスが必要であれば、同じく音声ガイドキー３２ｄを押下することでこれを再開させることができる。
【００４６】
さて、図５（Ａ）に示す場面で音声ガイドキー３２ｄが押下された結果、いま、テーブル３０Ｔは図６に示す状態にあるとする。
【００４７】
リモコン３２のメニューキー３２ｃが押下されると、ＣＰＵ２６は、メインメニュー画面の表示をキャラクタジェネレータ１８に命令する。メインメニュー画面の描画に必要な情報はハードディスク２２ｄに格納されており、キャラクタジェネレータ１８は、ＨＤＤ２２を通してハードディスク２２ｄから必要な情報を取得し、取得された情報をキャラクタデータに変換する。変換されたキャラクタデータは加算器１６を通してＮＴＳＣエンコーダ２０に与えられ、この結果、図７に示すようなメインメニュー画面が表示される。
【００４８】
図７を参照して、メインメニュー画面には、３つの項目つまり“受信設定”，“音声ガイダンス設定”および“その他の設定”が含まれる。ここでリモコン３２によって“音声ガイダンス設定”が選択されると、メインメニュー画面は図８に示す音声ガイダンス設定画面によって更新される。ここでリモコン３２によって“音声ガイダンスＯＦＦリスト表示”が選択されると、音声ガイダンス設画面は図９（Ａ）の音声ガイダンスＯＦＦリスト画面によって更新される。
【００４９】
なお、図７，図８では、カーソルＣが“音声ガイダンス設定”，“音声ガイダンスＯＦＦリスト表示”に当てられているが、いずれの場面もＦ=１なので（図６参照）、音声ガイダンスは出力されず、音声出力禁止マーク６２が画面内に挿入されている。
【００５０】
図９（Ａ）を参照して、音声ガイダンスＯＦＦリストには、テーブル３０Ｔ（図６参照）に登録された複数の音声ガイダンスのうちＦ＝１のもの、つまり“ＢＳ・ＣＳ・地上ディジタル放送の受信設定や受信状態の確認などを行います”，“音声ガイダンスをオン／オフしたり、オフリスト画面を表示します”など６つの音声ガイダンスが記述されている。ここでカーソルＣが“音声ガイダンスをオン／オフしたり、オフリスト画面を表示します”に当てられると、これに対応する音声ガイダンス６４が出力され、さらに音声ガイダンスを出力中である旨を記述した映像メッセージ６６が画面に挿入される（図９（Ｂ）参照）。
【００５１】
挿入から所定時間が経過すると、映像メッセージ６６は映像メッセージ６８によって更新される（図９（Ｃ）参照）。映像メッセージ６８には、選択されたガイダンスのＯＦＦ設定を解除するか否かの問い合わせが記述されており、ここで“はい”が選択されると、ＣＰＵ２６は、選択された音声ガイダンスつまり“音声ガイダンスをオン／オフしたり…”のフラグＦを“１”から“０”に変更する。
【００５２】
これにより、テーブル３０Ｔの状態は図１０のように変化する。したがって、以降、メインメニュー画面でカーソルＣが“音声ガイダンス設定”に当てられると、これに対応する音声メッセージ６４つまり“音声ガイダンスをオン／オフしたり、オフリスト画面を表示します”が出力される（図１１参照）。
【００５３】
図１１の画面が表示された状態で決定キー３２ｂが押下されると、メインメニュー画面は音声ガイダンス設定画面（図８参照）によって更新される。ここでカーソルキー３２ａおよび決定キー３２ｂによって同系統ガイダンスＯＦＦ“する”が選択されると（図１２参照）、ＣＰＵ２６は、テーブル３０Ｔ（図１０参照）からＦ＝１である音声ガイダンスを少なくとも１つ含むグループ（ここでは“受信系”および“項目説明系”）を検出し、検出された１つまたは複数のグループにそれぞれ対応する１つまたは複数のフラグＧ（ここでは“受信系” および“項目説明系”に対応する２つのフラグＧ）を“０”から“１”に変更する。
【００５４】
これにより、テーブル３０Ｔの状態は図１３のように変化する。したがって、以降、“受信系”および“項目説明系”に属する各場面では、音声ガイダンスは出力されず、画面内に音声出力禁止マーク６２が挿入されることになる。
【００５５】
このように、ある場面で対応する音声ガイダンスを禁止（ＯＦＦ設定）した後に、音声ガイダンス設定画面を呼び出し、同系統ガイダンスＯＦＦ“する”を選択することで、その音声ガイダンスと同じグループに属する他の音声ガイダンス（同系統音声ガイダンス）を一括的に禁止ことができる。
【００５６】
なお、上記のようにして一括的に禁止された音声ガイダンスについては、同様の操作によってメインメニューから音声ガイダンス設定画面を呼び出し、同系統ガイダンスＯＦＦ“しない”を選択することで、一括的に禁止状態を解除できる。すなわち、系統ガイダンスＯＦＦ“しない”が選択されると、ＣＰＵ２６は、テーブル３０Ｔ内の全てのフラグＧを“０”にリセットする。
【００５７】
さて、前述のようにして同系統ガイダンスＯＦＦ“する”が選択された結果、テーブル３０Ｔが図１３の状態にあるとき、休止チャネルが選局されると、図５（Ｂ）の画面が表示される。ここで音声ガイドキー３２ｄが押下されると、音声出力禁止マーク６２は消去され、音声ガイダンス６０が出力される（図５（Ａ）参照）。このときテーブル３０Ｔでは、音声ガイダンス６０つまり“現在放送されていません。別のチャネルを選択するか…”のフラグＦが“１”から“０”に変更される（図１４参照）。
【００５８】
また、この変更に伴い“受信系”に属する全ての音声ガイダンスのフラグＦが“０”となったので、“受信系”のフラグＧも“１”から“０”に変更される（図１４参照）。すなわち、ＣＰＵ２６は、“現在放送されていません。別のチャネルを選択するか…”のフラグＦが“０”に変更されたとき、この音声ガイダンスの属する“受信系”にＦ＝１の音声ガイダンスが残存するか否かを判別し、判別結果が否定的なので“受信系”のフラグＧを“１”から“０”に変更する。
【００５９】
なお、このようなフラグＧの変更処理は、音声ガイダンスＯＦＦリスト画面で所望の音声ガイダンスのフラグＦが“１”から“０”に変更された場合にも実行される。
【００６０】
以上のようなガイダンス音声の出力制御に関連して、ＣＰＵ２６は、μＩＴＲＯＮなどのマルチタスクＯＳの制御下で、図１５および図１６に示す音声ガイダンス制御タスクと、図１７〜図１９に示すメニュー制御タスクとを並列的に処理する。なお、これらのフロー図に対応する制御プログラムは、ＲＯＭ２４に格納されている。
【００６１】
最初、音声ガイダンス制御タスクについて説明する。図１５を参照して、まずステップＳ１で、音声ガイダンスが必要な場面か否かを判別する。現状がテーブル３０Ｔ（図２参照）に登録された複数の場面のいずれかに該当すれば、ステップＳ１でＹＥＳと判別し、ステップＳ３に移る。ステップＳ３ではテーブル３０Ｔから該当場面に対応する音声ガイダンス（以下“該当音声ガイダンス”）を選択し、続くステップＳ５では、該当音声ガイダンスのフラグＦが“１”であるか否かを判別する。
【００６２】
ステップＳ５でＹＥＳであればステップＳ１７に進み、ＮＯであればステップＳ７に移る。ステップＳ７では、該当音声ガイダンスの属するグループのフラグＧが“１”であるか否かをさらに判別し、ここでＹＥＳであればステップＳ１７に進む。ステップＳ７でＮＯであればステップＳ９に移って、該当音声ガイダンスの出力開始をサウンドジェネレータ３４に命令する。その後、ステップＳ１１およびＳ１３のループに入る。
【００６３】
ステップＳ１１では音声ガイドボタン３２ｄが押下されたか否かを判別し、ステップＳ１３ではステップＳ９の出力開始から所定時間が経過したか否かを判別する。ステップＳ１１でＹＥＳであればステップＳ１５に移り、ステップＳ１３でＹＥＳであればステップＳ１７に移る。ステップＳ１５では、該当音声ガイダンスのフラグＦを“０”から“１”に変更し、ステップＳ１７に移る。ステップＳ１７では、該当音声ガイダンスの出力停止をサウンドジェネレータ３４に命令し、その後、ステップＳ１９に移る。
【００６４】
従って、該当音声ガイダンスの出力開始から所定時間以内に音声ガイドボタン３２ｄが押されると、フラグＦが“０”から“１”に変更され、かつ音声出力が停止される。一方、音声ガイドボタン３２ｄが押されることなく所定時間が経過すると、フラグＦには何の変更も加えられず、単に音声出力が停止される。
【００６５】
図１６を参照して、ステップＳ１９では、音声出力禁止マークの表示開始をキャラクタジェネレータ１８に命令する。この結果、例えば図５（Ｂ）に示すように、表示画面内に音声出力禁止マーク６２が挿入される。その後、ステップＳ２１およびＳ２３のループに入る。
【００６６】
ステップＳ２１では音声ガイドボタン３２ｄが押下されたか否かを判別し、ステップＳ２３ではステップＳ１９の表示開始から所定時間が経過したか否かを判別する。ステップＳ２１でＹＥＳであればステップＳ２５に移り、ステップＳ２３でＹＥＳであればステップＳ３３に進む。
【００６７】
ステップＳ２５では、該当音声ガイダンスの音声出力開始をサウンドジェネレータ３４に命令し、続くステップＳ２７では、該当音声ガイダンスのフラグＦを“１”から“０”に変更し、その後ステップＳ２９に移る。ステップＳ２９では、該当音声ガイダンスの所属グループ内にＦ＝１の音声ガイダンスが残存しているか否かを判別する。ここでＹＥＳであればステップＳ３３に進み、ＮＯであればステップＳ３１で該当音声ガイダンスの所属グループのフラグＧを“０”にリセットし、その後ステップＳ３３に移る。ステップＳ３３では、音声出力禁止マークの表示停止をキャラクタジェネレータ１８に命令し、そしてステップＳ１に戻る。
【００６８】
次に、メニュー制御タスクについて説明する。図１７を参照して、ステップＳ４１ではメニューキー３２ｃが押下されたか否かを判別し、ＹＥＳであればステップＳ４３に移って、メインメニュー画面の表示をキャラクタジェネレータ１８に命令する。この結果、図示しないテレビモニタには、メインメニュー画面が表示される（図７参照）。そして、ステップＳ４５およびＳ４７のループに入る。
【００６９】
ステップＳ４５では、メインメニュー画面の“音声ガイダンス設定”を選択する操作が行われたか否かを判別し、ステップＳ４７では、その他の項目を選択する操作が行われたか否かを判別する。リモコン３２のカーソルキー３２ａおよび決定キー３２ｂによって“音声ガイダンス設定”が選択されると、ステップＳ４５でＹＥＳと判別し、ステップＳ５１に移る。その他の項目が選択されると、ステップＳ４７でＹＥＳと判別し、ステップＳ４９に移る。
【００７０】
ステップＳ４９では、選択された項目に該当する処理を実行し、そしてステップＳ４１に戻る。ステップＳ５１では、音声ガイダンス設定画面の表示をキャラクタジェネレータ１８に命令する。この結果、メインメニュー画面は音声ガイダンス設定画面によって更新される（図８参照）。その後、ステップＳ５３〜Ｓ５７のループに入る。
【００７１】
図１８を参照して、ステップＳ５３では、音声ガイダンス設定画面の“音声ガイダンスＯＦＦリスト表示”が選択されたか否かを判別し、ステップＳ５５では、同系統ガイダンスＯＦＦ“する”が選択されたか否かを判別し、そしてステップＳ５７では、同系統ガイダンスＯＦＦ“しない”が選択されたか否かを判別する。
【００７２】
カーソルキー３２ａおよび決定キー３２ｂによって“音声ガイダンスＯＦＦリスト表示”が選択されると、ステップＳ５３からステップＳ５９に移る。ステップＳ５９では、音声ガイダンスＯＦＦリスト画面の表示をキャラクタジェネレータ１８に命令する。この結果、音声ガイダンス設定画面は音声ガイダンスＯＦＦリスト画面によって更新される（図９（Ａ）参照）。その後、ステップＳ６１に移る。
【００７３】
図１９を参照して、ステップＳ６１では、所望の音声ガイダンスを選択する操作が行われたか否かを判別する。カーソルキー３２ａおよび決定キー３２ｂの操作によって音声ガイダンスＯＦＦリスト画面のいずれか１つの音声ガイダンスが選択されると、ステップＳ６１からステップＳ６３に移る。ステップＳ６３では、選択された音声ガイダンスの出力をサウンドジェネレータ３４に命令し、続くステップＳ６５では、音声ガイダンスを出力中であることを示すメッセージの表示をキャラクタジェネレータ１８に命令する。この結果、図９（Ｂ）に示すように、選択された音声ガイダンス６４が出力され、表示画面には映像メッセージ６６が挿入される。
【００７４】
続くステップＳ６７では、選択されたガイダンスのＯＦＦ設定を解除するか否かを問い合わせるメッセージの表示をキャラクタジェネレータ１８に命令する。この結果、表示画面には、映像メッセージ６６に代えて映像メッセージ６８が挿入される（図９（Ｃ）参照）。その後、ステップＳ６９に移る。
【００７５】
ステップＳ６９では、ＯＦＦ設定解除操作が行われたか否かを判別する。カーソルキー３２ａおよび決定キー３２ｂによって映像メッセージ６８の“はい”が選択されると、ステップＳ６９からステップＳ７１に移る。ステップＳ７１では、選択された音声ガイダンスのフラグＦを“１”から“０”に変更し、その後ステップＳ７３に移る。
【００７６】
ステップＳ７３では、選択された音声ガイダンスの所属グループ内にＦ＝１の音声ガイダンスが残存しているか否かを判別する。ここでＹＥＳであればステップＳ４１に戻り、ＮＯであればステップＳ７５で所属グループのフラグＧを“０”にリセットし、その後ステップＳ４１に戻る。
【００７７】
再び図１８を参照して、ステップＳ５５でＹＥＳであれば、ステップＳ７７に移って、Ｆ=１の音声ガイダンスを含むグループのフラグＧを“１”とし、その後ステップＳ４１に戻る。ステップＳ５７でＹＥＳであれば、全てのグループのフラグＧを“０”とし、その後ステップＳ４１に戻る。
【００７８】
以上から明らかなように、この実施例では、複数の場面にそれぞれ対応する複数の音声ガイダンスがテーブル３０Ｔ（図２参照）に登録されており、ＣＰＵ２６は、これら複数の場面の各々で対応する音声ガイダンスを出力する（Ｓ９）。これら複数の音声ガイダンスのいずれかが出力されている状態で第１禁止操作が行われると（Ｓ１１）、この音声ガイダンスの出力を禁止し（Ｓ１５，Ｓ５）、禁止された音声ガイダンスに対応する場面では映像メッセージを表示する（Ｓ１９）。この表示処理に関連して第１解除操作が行われると（Ｓ２１）、禁止された音声ガイダンスの出力を許容する（Ｓ２７，Ｓ５）。これにより、停止された音声ガイダンスの出力を再開させる際の操作性が向上する。
【００７９】
なお、以上では、ディジタル放送受信機１０について説明したが、この発明は、車載ナビゲーション装置など、音声ガイダンスを出力する機能を有する様々な装置に適用できる。
【図面の簡単な説明】
【００８０】
【図１】この発明の一実施例の構成を示すブロック図である。
【図２】図１実施例に適用されるテーブルの一例を示す図解図である。
【図３】図１実施例に適用される表示画面の一例を示す図解図である。
【図４】図１実施例に適用される表示画面の他の一例を示す図解図である。
【図５】（Ａ）は図１実施例に適用される表示画面のその他の一例を示す図解図であり、（Ｂ）は図１実施例に適用される表示画面のさらにその他の一例を示す図解図である。
【図６】図１実施例に適用されるテーブルの他の一例を示す図解図である。
【図７】図１実施例に適用される表示画面の他の一例を示す図解図である。
【図８】図１実施例に適用される表示画面のその他の一例を示す図解図である。
【図９】（Ａ）は図１実施例に適用される表示画面のさらにその他の一例を示す図解図であり、（Ｂ）は図１実施例に適用される表示画面の他の一例を示す図解図であり、（Ｃ）は図１実施例に適用される表示画面のその他の一例を示す図解図である。
【図１０】図１実施例に適用されるテーブルのその他の一例を示す図解図である。
【図１１】図１実施例に適用される表示画面のさらにその他の一例を示す図解図である。
【図１２】図１実施例に適用される表示画面の他の一例を示す図解図である。
【図１３】図１実施例に適用されるテーブルのさらにその他の一例を示す図解図である。
【図１４】図１実施例に適用されるテーブルの他の一例を示す図解図である。
【図１５】図１実施例に適用されるＣＰＵ処理の一部を示すフロー図である。
【図１６】図１実施例に適用されるＣＰＵ処理の他の一部を示すフロー図である。
【図１７】図１実施例に適用されるＣＰＵ処理のその他の一部を示すフロー図である。
【図１８】図１実施例に適用されるＣＰＵ処理のさらにその他の一部を示すフロー図である。
【図１９】図１実施例に適用されるＣＰＵ処理の他の一部を示すフロー図である。
【符号の説明】
【００８１】
１０…ディジタル放送受信機
１２…ディジタルチューナ
１４…ＭＰＥＧデコーダ
１６，３６…加算器
１８…キャラクタジェネレータ
２６…ＣＰＵ
３０…フラッシュメモリ
３０Ｔ…テーブル
３２…リモコン
３２ａ…カーソルキー
３２ｂ…決定キー
３２ｃ…メニューキー
３２ｄ…音声ガイドボタン
３４…サウンドジェネレータ
【図１】
2007240869.tif 000003
【図２】
2007240869.tif 000004
【図３】
2007240869.tif 000005
【図４】
2007240869.tif 000006
【図５】
2007240869.tif 000007
【図６】
2007240869.tif 000008
【図７】
2007240869.tif 000009
【図８】
2007240869.tif 000010
【図９】
2007240869.tif 000011
【図１０】
2007240869.tif 000012
【図１１】
2007240869.tif 000013
【図１２】
2007240869.tif 000014
【図１３】
2007240869.tif 000015
【図１４】
2007240869.tif 000016
【図１５】
2007240869.tif 000017
【図１６】
2007240869.tif 000018
【図１７】
2007240869.tif 000019
【図１８】
2007240869.tif 000020
【図１９】
2007240869.tif 000021